(57)【要約】【課題】遊技盤の釘調整が行いやすく、しかも電気的駆動源による施錠を手動で解錠できるようにした遊技機を提供する。【解決手段】  遊技機の外郭を形成する額縁状の外枠２と、遊技盤６を備えるとともに一側を第一ヒンジ３により軸支されて前記外枠２に対して開閉自在に設けられた内枠４と、前記遊技盤６の遊技領域６ａを視認し得る窓部１９を備え、前記内枠４のもう一側の開放側に第二ヒンジ８により軸支されて開閉自在に設けられた前枠９と、前記内枠４の開放側に設けられシリンダ錠１５の操作により該内枠４を解錠動作する施錠装置１７と、前記前枠４の開放側に設けられ電気的に動作して該前枠９を施錠又は解錠する施錠手段１８と、前記シリンダ錠１５が所定方向に回転したことを検知する検出手段２８と、前記検出手段２８の検知信号により前記施錠手段１８の解錠動作を制御する制御手段２６とを備えた。【選択図】図３
2010158474.tif 000002
【特許請求の範囲】
【請求項１】
遊技機の外郭を形成する額縁状の外枠と、
遊技盤を備えるとともに、一側を第一ヒンジにより軸支されて前記外枠に対して開閉自在に設けられた内枠と、
前記遊技盤の遊技領域を視認し得る窓部を備え、前記内枠のもう一側の開放側に第二ヒンジにより軸支されて開閉自在に設けられた前枠と、
前記内枠の開放側シリンダ錠の操作によりを解錠動作する施錠装置と、
電気的に動作して前記前枠の開放側を施錠又は解錠する施錠手段と、
前記シリンダ錠が所定方向に回転したことを検知する検出手段と、
前記検出手段の検知信号により前記施錠手段の解錠動作を制御する制御手段と、を備えたことを特徴とする遊技機。
【請求項２】
前記施錠手段は、前記制御手段を介することなく前記内枠の後方から解錠操作し得る操作部を備えたことを特徴とする請求項１記載の遊技機。
【請求項３】
前記施錠手段は、前記前枠の開放側上端近傍及び下端近傍に各々設けられた係合部に直接又は間接的に係合可能なシャフトを有するソレノイドである請求項１又は２記載の遊技機。
【請求項４】
前記前枠に前記ソレノイドの解錠時に前記シャフトが直接又は間接的に接触し、前記前枠を開方向に誘導する誘導部材を設けたことを特徴とする請求項３記載の遊技機。
【請求項５】
前記操作部は、前記内枠の閉鎖時に前記外枠の一側近傍に位置し、該外枠により操作部の操作が規制されることを特徴とする請求項１乃至４のいずれかに記載の遊技機。
【発明の詳細な説明】
【技術分野】
【０００１】
本発明は、遊技機に関し、特に外枠に遊技盤を備えた内枠が開閉自在に装着され、その内枠に遊技盤の遊技領域を視認し得る窓部を備えた前枠が開閉自在に装着される遊技機に関する。
【背景技術】
【０００２】
従来、遊技機の一種であるぱちんこ機は、方形枠状の固定枠（外枠）に遊技盤を配設した本体基部（内枠）が内枠ヒンジを介して開閉自在に装着され、その前面に前面扉（前枠）が内枠と同じ方向に開閉するように前枠ヒンジを介して装着され、開放側にシリンダ錠を備えた施錠装置を設けて開閉を規制している。施錠装置はシリンダ錠を操作して内枠と前枠とを個々に解錠できるように、取付基板に前枠を係止するための前枠用フック部を有する前枠用摺動杆と、外枠を係止するためのフック部を有する外枠用摺動杆とをスライド自在に設け、シリンダ錠に取り付けられるカム部材を操作することで内枠及び前枠を解錠するようにしている。また、ソレノイドによりガラス扉（前枠)を解錠操作するぱちんこ機が提案されており、ぱちんこ機にガラス扉施錠機構を備え、ぱちんこ機を取付ける取付板にソレノイドを設けて連動リンクを介してガラス扉施錠機構を操作するようにしている（特許文献１参照。）。
【０００３】
また、内枠には入賞又は球貸し操作により遊技球を払出す球払出装置が設けられると共に、その球払出装置に供給する遊技球を貯留する球タンクが設けられている。そして、ホールでは、内枠は遊技中の球切れや、営業終了後に行われる球磨きのために行われる球抜きのために開放され、前枠は遊技中に発生する遊技盤面での球止り等のトラブルの際や、営業終了後に行われる遊技盤の釘調整の際に開放される。また、前枠は、ぱちんこ機間に併設される貸球装置や隣台の邪魔にならないように１００〜１２０度程しか開かないようになっている。
【先行技術文献】
【特許文献】
【０００４】
【特許文献１】特開２００４−１５４３１６号公報
【発明の概要】
【発明が解決しようとする課題】
【０００５】
しかしながら、従来のぱちんこ機においては、遊技における遊技球の流路が左側にある場合が多く、釘師が調整する釘が左側に集中しているため、前枠が向かって左側へ開かれ、しかもその開角度がほぼ１００〜１２０度と制限されている関係上、ガラス扉枠の軸支側の作業がしづらいばかりか、ともすると、ハンマーを振り上げる際にガラス扉枠のガラス板にハンマーが当たって、そのガラスを破損させてしまう事故も起きるという問題がある。
【０００６】
また、特許文献１のようなぱちんこ機においては、パチンコ機側の施錠機構とぱちんこ機の取付け側のソレノイドとそれらを連動リンクにより連係して、ソレノイドにより間接的に施錠するため連動リンク等の部品点数が増え、しかもぱちんこ機を設置する際にそれを連係するのに手間が掛かり面倒である。しかも、前枠の施錠装置をソレノイド等の電気的駆動源で作用させて解錠するようにすると、営業終了後に行われる釘調整をする際に前枠を解錠するために電源をオンしなければならず、経費の無駄となっている。
【０００７】
本発明の遊技機は、上記従来技術の課題を解決することを目的とし、遊技盤の釘調整が行いやすく、しかも電気的駆動源による施錠を手動で解錠できるようにした遊技機を提供することにある。
【課題を解決するための手段】
【０００８】
上記目的を達成するため、本発明の遊技機は、遊技機の外郭を形成する額縁状の外枠と、遊技盤を備えるとともに一側を第一ヒンジにより軸支されて前記外枠に対して開閉自在に設けられた内枠と、前記遊技盤の遊技領域を視認し得る窓部を備え、前記内枠のもう一側の開放側に第二ヒンジにより軸支されて開閉自在に設けられた前枠と、前記内枠の開放側をシリンダ錠の操作により解錠動作する施錠装置と、電気的に動作して前記前枠の開放側を施錠又は解錠する施錠手段と、前記シリンダ錠が所定方向に回転したことを検知する検出手段と、前記検出手段の検知信号により前記施錠手段の解錠動作を制御する制御手段とを備えたことを特徴とする。
【０００９】
また、前記施錠手段は、前記制御手段を介することなく前記内枠の後方から解錠操作し得る操作部を備えたことを特徴とする。
【００１０】
また、前記施錠手段は、前記前枠の開放側上端近傍及び下端近傍に各々設けられた係合部に直接又は間接的に係合可能なシャフトを有するソレノイドである。
【００１１】
また、前記前枠に前記ソレノイドの解錠時に前記シャフトが直接又は間接的に接触し、前記前枠を開方向に誘導する誘導部材を設けたことを特徴とする。この構成を採用することにより、前枠を解錠すると同時に前枠を開放させることができる。
【００１２】
また、前記操作部は、前記内枠の閉鎖時に前記外枠の一側近傍に位置し、該外枠により操作部の操作が規制されることを特徴とする。
【発明の効果】
【００１３】
上述した遊技機によれば、外枠の前面に内枠及び前枠を蛇腹状に開放するように軸支し、内枠及び前枠を解錠するために両側に離れて配置された施錠装置及び施錠手段とを一側（一か所）に設けられるシリンダ錠により解錠操作する解錠操作することができる。また、前枠の解錠を電気的に動作して該前枠を施錠又は解錠することができる。
【００１４】
また、制御手段を介することなく前記内枠の後方から解錠操作し得る操作部を備えることにより、電源が切れた状態でも前枠を開放させることができる。
【図面の簡単な説明】
【００１５】
【図１】ぱちんこ機の正面図である。
【図２】ぱちんこ機の背面図である。
【図３】内枠及び前枠を開放したぱちんこ機の斜視図である。
【図４】前枠を開放した状態の要部斜視図である。
【図５】施錠装置の要部斜視図である。
【図６】ぱちんこ機の要部平断面図である。
【図７】施錠ソレノイドが作用した状態のぱちんこ機の要部平断面図である。
【図８】ぱちんこ機の制御系のブロック構成図である。
【図９】制御手段の制御動作を示すフローチャートである。
【図１０】電源投入時の制御手段の制御動作を示すフローチャートである。
【図１１】（イ）、（ロ）は施錠手段の他の実施例の作用説明図である。
【発明を実施するための形態】
【００１６】
以下に、この発明を実施するための最良の形態について図面を参照して説明する。ぱちんこ機１は、図１乃至図３に示すように、そのぱちんこ機１の外郭を形成する額縁状の外枠２を備え、その外枠２の前面に第一ヒンジ３により一側（ぱちんこ機１を正面視して左側）を枢支して、その前面側に向かって片開き可能に内枠４が支持されている。内枠４には、ガイドレール５により遊技領域６ａが形成された遊技盤６が装着され、その下方に発射機構７が設けられている。また、内枠４の一側（ぱちんこ機１を正面視して右側）に内枠４の横幅寸法と略同じ横幅寸法を有するように構成され、第二ヒンジ８により遊技盤６の遊技領域６ａを視認し得る窓部１９を備えた前枠９が開閉自在に設けられている。つまり、内枠４と前枠９は、図３に示すように外枠２に対して蛇腹状に開閉するように設けられている。
【００１７】
前枠９は、図１に示すように窓部１９の下方前面に、遊技球を貯留し、貯留した遊技球を整流して発射機構７に遊技球を供給する球受皿１０及びスピーカ１１を備え、上部にＬＥＤを有する装飾体１２を設けている。そして、ぱちんこ機１を正面視して球受皿１０の右下側に遊技球の発射力を調節する発射ハンドル１３が設けられている。
【００１８】
なお、本明細書において、ぱちんこ機１における上下方向とは遊技盤６の盤面に沿う態様で遊技領域６ａを遊技球が流下する方向（鉛直方向）を意味する。また、左右方向とは遊技盤６の盤面に沿う態様で上下方向に直交する方向（水平方向）を意味し、遊技者と正対して遊技者から見た左右を示す。また、前後方向とは遊技盤６の盤面に直交する方向（水平方向）を意味し、遊技盤６の遊技者側が前側であり、遊技盤６の奥側（遊技領域５ａの反対側）が後側である。
【００１９】
内枠４は、図２及び図３に示すように合成樹脂により縦長方形状に形成されると共に中央に開口部１４が開設された枠状に形成される。そして、後面側に球タンク４０，球払出装置４１等の裏機構部品や制御基板等の電気部品が設けられている。また、内枠４の開放側（第一ヒンジ３とは反対側）には、図５に示すようにシリンダ錠１５の操作により鉤片１６ａを備えたスライド杆１６を可動して機械的に解錠動作する施錠装置１７が設けられ、第一ヒンジ３側（前枠９の軸支側）には内枠４と前枠９が電磁駆動により施錠される施錠手段としての施錠ソレノイド１８が設けられている。実施例では、シリンダ錠１５を一方向に回転することにより内枠４が解錠され、他方向に回転することにより前枠９が解錠するようになっている。
【００２０】
施錠装置１７は、外枠２の係合受部２２に係合する鉤片１６ａを備えたスライド杆１６と、スライド杆１６をスライド移動させるシリンダ錠１５（錠本体）と、シリンダ錠１５の錠軸部に取付けられるカム部材２３と、内枠４の開放端側裏面に固定されスライド杆１６及びシリンダ錠１５が配置される断面Ｌ字状のベース部材２４とを備えている。なお、スライド杆１６は図示しない付勢ばねによって施錠方向に付勢されている。また、内枠４に設けられたシリンダ錠１５の近傍（内枠４の裏面側）には、シリンダ錠１５が所定方向に回転したことを電気的に検知する検出手段の一例として前枠解除スイッチ２５（フォトセンサ）が設けられている。カム部材２３は、前枠解除スイッチ２５（フォトセンサ）を遮光する遮光片２３ａとスライド杆１６と連係し内枠４を解錠する操作片３ｂが設けられており、シリンダ錠１５と一体となって回転する。
【００２１】
カム部材２３は、図５に示すようにシリンダ錠１５が施錠状態（常態）において、遮光片２３ａが前枠解除スイッチ２５を遮光しない実線位置にある。施錠装置１７は、シリンダ錠１５の鍵穴部に図示しない鍵を差し込み、シリンダ１５錠を一方向（例えば図１において右側）へ回転することにより内枠４が解錠され、また、他方向（例えば図１において左側）へ回転すると、遮光片２３ａが仮想線で示すように前枠解除スイッチ２５を遮光して、前枠９の解錠操作がなされたことを検出し、その検出結果に基づいて後述する主基板２６（制御手段）が施錠ソレノイド１８を解錠動作させるようになっている。
【００２２】
また、ぱちんこ機１を正面視して内枠４の左側一側に第一ヒンジ３の可動ヒンジ部材３ａを備え、右側一側に第二ヒンジ８の固定ヒンジ部材８ａを備えている。第一ヒンジ３の可動ヒンジ部材３ａには、外枠２に設けた固定ヒンジ部材３ｂの軸孔に貫挿される軸ピンが設けられ、この軸ピンを固定ヒンジ部材３ｂの軸孔に遊挿することで内枠４が外枠２に回動自在に装着される。また、第二ヒンジ８の固定ヒンジ部材８ａには、軸受孔が設けられ、前枠９に設けられる可動ヒンジ部材８ｂの可動ピンを嵌挿することで前枠９が内枠４に回動自在に装着される。
【００２３】
内枠４の軸支側（第一ヒンジ３側）上下に位置して前後に貫通する挿通孔２７が開設され、表面に臨んで施錠ソレノイド１８が設けられている。また、前枠９の前面側であり開放側には、前枠９の開閉を検出する開閉検出手段の一例として前枠開放確認スイッチ２８が設けられている。前枠開放確認スイッチ２８は、例えばマイクロスイッチなどのプッシュスイッチが用いられる。前枠開放確認スイッチ２８は前枠９が内枠４より離れる（開放される）と検出結果を後述する主基板２６（制御手段）へ出力する。
【００２４】
前枠９は、開放側裏面に縦枠部の側縁に沿って開放側から針金やセル板等の不正具の侵入を防ぐと共に、補強を兼ねてコ字状の支持板金２９（支持部材）が設けられている。そして、その上端近傍及び下端近傍であり施錠ソレノイド１８と対応する位置に施錠ソレノイド１８（施錠具）が直接又は間接的に係合する係合孔３０（係合部）が各々形成されている。具体的には、支持板金２９の対向する立壁の内方側の立壁２９ａに係合孔３０が形成されている。つまり、係合孔３０は外方側の立壁２９ｂにより隠蔽され、施錠ソレノイド１８の係合状態を直接的に解除する不正行為をできないようにしている。
【００２５】
また、係合孔３０（係合部）の側方には傾斜面を有する誘導部材３１が設けられ、施錠ソレノイド１８の解錠時にシャフト３２が直接又は間接的に傾斜面に接触して前枠９を前方に押し出すようにしている。詳しくは、誘導部材３１は施錠ソレノイド１８が解錠された状態で傾斜面に接触する位置に設けられている。好ましくは、施錠ソレノイド１８が解錠されると同時に傾斜面に接触して前枠９を前方に押し出すのがよい。これにより、解錠と同時に前枠９が内枠４から押し出されるので、前枠９を開放するときに指などをかけることができ、作業性が向上する。
【００２６】
施錠ソレノイド１８は、実施例では、図６及び図７に示すように、シャフト３２がソレノイド本体を貫通して設けられ二方向に動作保持する二方向保持型の自己保持型ソレノイドが使用される。つまり、通電でシャフト３２が移動し、移動後は永久磁石により吸着保持させることにより施錠位置及び解錠位置を保持する。施錠ソレノイド１８は、シャフト３２の一端（先端）が係合孔３０に直接挿抜可能なように、シャフト３２が水平方向に進退するように設けられている。施錠ソレノイド１８は、内枠４の前面側に設けられたシリンダ錠１５を所定方向（前枠９の解錠方向）へ回転させると、カム部材２３の遮蔽板２３ａが前枠解除スイッチ２５を遮蔽し、カム部材２３の前枠９の解錠方向への回転を検知して、その検知信号により主基板２６（制御手段）を介して施錠ソレノイド１８が作動し、シャフト３２が係合孔３０より抜け出て解錠する。
【００２７】
施錠ソレノイド１８は、シャフト３２の他端（後端）にシャフト３２を係合位置から解除位置へとスライド移動させるために操作する操作部材３３を固着している。操作部材３３は、クランク状をなし、その端部に操作部３３ａを有している。そして、操作部材３３は内枠４の前後に貫通した挿通孔２７に位置して設けられ、挿通孔２７から内枠４の後側に臨んだ操作部３３ａをスライド操作することで、主基板２６（制御手段）を介することなく施錠ソレノイド１８を解錠操作することができる。
【００２８】
操作部３３ａは、図６に示すように内枠４の閉鎖時に外枠の一側近傍に位置しており、内枠４の閉鎖時には操作し難い状態にある。このため、不正を目的に操作部３３ａを操作して施錠ソレノイド１８を作動させて、内枠４を解錠操作しようとしても、操作部３３ａが外枠２に近接していて操作することができない。
【００２９】
次に、図８（ブロック図）を参照して遊技機の施錠具の制御系の一例について説明する。ぱちんこ機１の制御手段である主基板２６の中の制御部は、外部出力用中継基板３４を通じてホールコンピュータ３５へ接続されている。ホールコンピュータ３５は、ホール内に設けられた各ぱちんこ機１の状態を集中管理するようになっている。
【００３０】
前枠解除スイッチ２５及び前枠開放確認スイッチ２８の検出結果（ＯＮ／ＯＦＦ）は主基板２６に入力される。主基板２６は前枠解除スイッチ２５及び前枠開放確認スイッチ２８の入力からシリンダ錠１５の回転及び前枠９の開放を検出すると前枠９の正常な開放と判定する。
【００３１】
そして、主基板２６は施錠ソレノイド１８へ出力信号を出力し施錠動作を制御する。また、主基板２６は前枠９に設けられた装飾体１２のＬＥＤや音声制御基板３９へ出力信号を出力し、前枠９の開放を正常な開放又は異常な開放のいずれかと判定した際に、その判定結果に応じた報知パターンで報知する。音声制御基板３９はスピーカ１１を通じて音声を出力するようになっている。装飾体１２のＬＥＤやスピーカ１１は報知手段の一例である。
【００３２】
ここで、ぱちんこ機１の電源がオン状態（ホールの営業時）の主基板２６（制御手段）の制御動作を図９のフローチャートを参照して説明する。施錠ソレノイド１８は、図６の施錠状態にあるものとする。前枠９の前側から前枠９の軸支側に位置するシリンダ錠１５の鍵穴に図示しない鍵を差し込んで、シリンダ錠１５が所定方向（図１で示す左側）に回転すると、カム部材２３の遮光片２３ａが図５鎖線に示すように前枠解除スイッチ２５を遮光（ＯＮ）して、主基板２６は前枠解除スイッチ２５が解錠操作を検出する（ステップＳ１）。前枠解除スイッチ２５がＯＮになると、ステップＳ２へ進行して上下の施錠ソレノイド１８がＯＮになる。施錠状態で上下の施錠ソレノイド１８がＯＮになると、図７においてシャフト３２が解錠方向に移動する。つまり、係合孔３０から抜け出て施錠ソレノイド１８は解錠する。そして、同時にシャフト３２に設けた操作部材３３が誘導部材３１の傾斜面に接触することで前枠９を前方に押し出して、前枠９を開放する。このとき、施錠ソレノイド１８のシャフト３２は、永久磁石により後退した位置を維持している。
【００３３】
次に、ステップＳ３において、主基板２６は前枠開放確認スイッチ２８がＯＮになっているか否かを判定する。前枠開放確認スイッチ２８がＯＮになると、前枠９が内枠４より離間したことになるため、前枠９の正常な開放と判断してステップＳ４へ進行する。
【００３４】
ステップＳ４において、主基板２６は外部出力用中継基板３４を通じてホールコンピュータ３５へ判定結果をデータ送信する（正常開放データ送信）。これにより、該当する遊技機がメンテナンス開放などを含む前枠９の正常開放である旨をホールコンピュータ３５が認識でき、各遊技機の開閉状態をデータとして一元管理することができる。
【００３５】
次いで、ステップＳ５へ進行して、主基板２６は装飾体１２のＬＥＤを正常開放報知パターンで点灯若しくは点滅させて前枠９の正常な開放であることを報知する。または音声制御基板３９を通じてスピーカ１１より正常開放報知パターンで音声を出力させて前枠９の正常な開放であることを報知する。或いは、これらを併用することで、当該遊技機の前枠９の開放は正常な開放であることを報知する。
【００３６】
次に、ステップＳ６に進行して、係員が作業終了後に開放された前枠９を閉じると、前枠開放確認スイッチ２８がＯＦＦすることから、主基板２６は前枠開放確認スイッチ２８がＯＦＦしたか否かを判定する。前枠開放確認スイッチ２８がＯＦＦすると前枠９が閉じられたものと判定し、ステップＳ７へ進行して上下の施錠ソレノイド１８がＯＮする。解錠状態で上下の施錠ソレノイド１８がＯＮになると、図６においてシャフト３２が施錠方向に移動して上下の係合孔３０へ挿入されて前枠９は施錠される。そして、主基板２６からのホールコンピュータ３５への解除データを送信する（ステップＳ８）。次いで、ステップＳ９に進行して、主基板２６は装飾体１２のＬＥＤを点灯若しくは点滅を停止し、音声制御基板３９を通じたスピーカ１１からの音声出力を停止し、遊技機からの報知動作を終了する。
【００３７】
なお、施錠ソレノイド１８が解錠方向に作動した状態を検知する検知手段を設けるようにしてもよい。この検出手段を設けることにより、施錠ソレノイド１８が正常に作動したか判断することができ、確実な施錠・解錠が可能となる。また、内枠４の開放確認手段を設けるようにしてもよく、前枠解除スイッチ２５又は内枠開放確認手段が検知されないにもかかわらず前枠開放確認スイッチ２８がＯＮになると、前枠９が不正に開放されたと判断でき、装飾体１２のＬＥＤを点灯若しくは点滅させたりスピーカ１１より異常開放を音声で出力させたりして、係員に遊技機の前枠９が異常開放されたことを報知することができる。
【００３８】
次に、ぱちんこ機１の電源がオフ状態（ホールの営業終了後）で行う釘調整等の作業時における内枠４及び前枠９の解錠操作について説明する。先ずシリンダ錠１５の鍵穴部に図示しない鍵を差し込み、シリンダ１５錠を図１で示す右側へ回転させると、カム部材２３の操作片２３ｂがスライド杆１６に係合して鉤片１６ａとともに付勢部材の付勢力に抗して下方に移動させる。すると、鉤片１６ａと係合受部２２の係合が解除され、内枠４が外枠２から開放される。そして、従業員が内枠４の後面側に設けられる球抜き操作部（図示せず）を操作して、球タンク４０，球払出装置４１に貯留されている遊技球を球抜きして、球磨き装置に還流させる。
【００３９】
さらに、図４に示すように内枠４の開放により操作可能となった施錠ソレノイド１８の操作部３３ａを操作して、シャフト３２をスライドさせて係合孔３０との係合（施錠）を解除して前枠９を開放させる（図７参照）。このように、手動で簡単に施錠ソレノイド１８を作動させることができるので、ぱちんこ機１の電源がオフ状態であっても主基板２６（電気的制御）を介すことなく前枠９を開放させることができる。このとき、操作部３３ａは図４に示すように内枠４が外枠２から開放されていることから、外枠２と離れた状態にあり、内枠４の閉鎖時（図６参照）と異なり操作部３３ａを容易に操作することができる。また、前枠９の左側が開放されると、調整釘の多い遊技領域６ａの左側が大きく開放されるので、釘調整が非常に行いやすく作業性が向上する。作業終了後は、操作部３３ａを操作して施錠ソレノイド１８を作動（シャフト３２を移動）させて前枠９を施錠し、内枠４を閉鎖施錠する。
【００４０】
なお、操作部３３ａの操作をし忘れた場合に、営業開始時（電源投入時）に前枠開放確認スイッチ２８がオフ状態と判断され、施錠ソレノイド１８を施錠側に作動させて前枠９を施錠するようにしてもよい。例えば、ぱちんこ機１の電源をオンした状態（ホールの営業時）の主基板２６（制御手段）の制御動作を図１０のフローチャートを参照して説明すると、ぱちんこ機１の電源をオンすると、前枠開放確認スイッチ２８がＯＮか否か判定する（ステップＳ１０）。前枠開放確認スイッチ２８がＯＮであると、ステップＳ１１へ進行して一旦上下の施錠ソレノイド１８を解錠方向にＯＮする。このとき、装飾体１２のＬＥＤ又はスピーカ１１より前枠９の開放を報知しているので、係員は遊技機の異常を点検し開放された前枠９を閉鎖する。
【００４１】
また、ステップＳ１０において、前枠開放確認スイッチ２８がＯＦＦであると判定されると、ステップＳ１２に進み、主基板２６は前枠解除スイッチ２５がＯＮになっているか否かを判定する。このとき、前枠解除スイッチ２５がＯＦＦであると、施錠ソレノイド１８を確認のため施錠方向にＯＮする（ステップＳ１３）。そして、ステップＳ１２において、前枠解除スイッチ２５がＯＮと判定（検出）されると、ステップＳ１１へ進行して上下の施錠ソレノイド１８をＯＮしてシャフト３２を解錠方向に移動させて前枠９を開放する。
【００４２】
なお、上記実施例において、施錠手段として自己保持型の施錠ソレノイドを使用したが、図１１に示すように、プランジャ４５（シャフト）にコイルスプリング４６を巻装し、このコイルスプリング４６の付勢に抗してプランジャ４５を吸引するコイル開放型の直進型の施錠ソレノイド１８Ａとしてもよい。例えば、励磁するとプランジャ４５が吸引され係合孔３０から抜去して解錠し、消磁するとコイルスプリング４６の付勢によりプランジャ４５が復動する。このとき、プランジャ４５の先端（前枠９側）を傾斜面４５ａとして、前枠９の閉鎖時に図１１（ロ）に示すように係合孔３０が形成されている支持板金２９がプランジャ４５の先端の傾斜面４５ａに接触して、プランジャ４５をコイルスプリング４６の付勢に抗して後退させ、前枠９が閉鎖したと同時にプランジャ４５がコイルスプリング４６の付勢により復動して係合孔３０に係合して前枠９を施錠する。このようにすれば、前枠９を閉鎖するだけで操作部３３ａの操作をすることなく施錠することができる。ぱちんこ機１の電源がオフ状態（ホールの営業終了後）で前枠９を開放させるには、シリンダ１５錠を操作して内枠４を開放させ、内枠４の後方で操作部３３ａをスライド操作してプランジャ４５を移動させて係合を解除し、前枠９を開放させることができる。このとき、操作部材３３が誘導部材３１に接触して前枠９を前方に押し出すため、操作部材３３から手を離しプランジャ４５がコイルスプリング４６の付勢で復動しても、プランジャ４５は係合孔３０に係合することはない。なお、プランジャ４５を直接係合孔３０と係合させることなく別途係合部をプランジャ４５に設けるようにしてもよい。
【００４３】
また、施錠手段としてプランジャ４５（シャフト３２）が直動するソレノイドとしたが、ロータリーソレノイドとしてもよく、シャフトにロック片を設けてロック片を回動させることにより前枠９に係合するようにすればよい。
【００４４】
また、遊技機としてぱちんこ機を例に説明したが、遊技球を遊技媒体として遊技領域に打ち出して遊技する雀球遊技機，アレンジボール式遊技機等にも本発明を適用することができる。また、実施の形態に示した内容に限定されるものではなく、この発明の要旨を逸脱しない範囲で、種々の形態を実施し得るものである。
【符号の説明】
【００４５】
１                ぱちんこ機（遊技機）
２                外枠
３                第一ヒンジ
４                内枠
６                遊技盤
６ａ              遊技領域
８                第二ヒンジ
９                前枠
１４              開口部
１５              シリンダ錠
１７              施錠装置
１８，１８Ａ      施錠ソレノイド（施錠手段）
１９              窓部
２５              前枠解除スイッチ
２６              主基板（制御手段）
２８              前枠開放確認スイッチ（検出手段）
３０              係合孔（係合部）
３１              誘導部材
３２              シャフト
３３              操作部材
３３ａ            操作部
４５              プランジャ（シャフト）
【図１】
2010158474.tif 000003
【図２】
2010158474.tif 000004
【図３】
2010158474.tif 000005
【図４】
2010158474.tif 000006
【図５】
2010158474.tif 000007
【図６】
2010158474.tif 000008
【図７】
2010158474.tif 000009
【図８】
2010158474.tif 000010
【図９】
2010158474.tif 000011
【図１０】
2010158474.tif 000012
【図１１】
2010158474.tif 000013